(57)【要約】      （修正有）【課題】液体が第一貯水タンクに蓄積されるさいに、昆虫及び気体が水管から室内に進入するのを抑制することができる排水装置を提供する。【解決手段】排水装置１００は、環状壁１１０と、底板１２０と、キャビン１３０とを備える。環状壁１１０には環状内壁１１１及び環状外壁１１２に連通される少なくとも１つの越流穴１１３が設けられ、越流穴１１３は第一開口部１１４及び第二開口部１１５を有する。第一開口部１１４は上縁部１１４ａを有し、第二開口部１１５は底縁１１５ａを有し、第一開口部の上縁部１１４ａを通過する第一水平面は、第二開口部の底縁１１５ａを通過する第二水平面より低い。第二水平面と底板１２０との間に第一貯水タンクＢが構成される。【選択図】図３
0003201438.tif 000002
【実用新案登録請求の範囲】
【請求項１】
環状壁と、底板と、キャビンとを備え、
前記環状壁は、前記底板に結合されており、
前記キャビンは、前記底板の上方に位置しており、前記環状壁により包囲されており、開口部を有し、前記開口部から流入する液体を収容可能であり、
前記環状壁は、環状内壁、環状外壁、および、前記環状内壁と前記環状外壁とを連通する少なくとも１つの越流穴を有し、
前記開口部、前記キャビン及び前記越流穴は液体流路を構成し、
前記越流穴は、第一開口部及び第二開口部を有し、前記第一開口部が前記環状内壁に位置しかつ前記キャビンと連通し、前記第二開口部が前記環状外壁に位置し、前記第一開口部が上縁部を有し、前記第二開口部が底縁を有し、前記第一開口部の前記上縁部を通過する仮想平面を第一水平面と定義し、前記第二開口部の前記底縁を通過する仮想平面を第二水平面と定義し、前記第一水平面が前記第二水平面より高い位置に位置し、前記第二水平面と前記底板との間に第一貯水タンクが構成されていることを特徴とする排水装置。
【請求項２】
外側環状壁をさらに備え、
前記外側環状壁は、前記環状壁に結合されており、前記外側環状壁と前記環状壁との間に第二貯水タンクが形成されており、露出端を有し、前記露出端と前記環状壁との間に越流口が形成されており、前記露出端を通過する仮想平面を第三水平面と定義し、前記第三水平面が前記第二水平面の高さ以上高くなるよう形成されていることを特徴とする、請求項１に記載の排水装置。
【請求項３】
前記第一開口部の前記上縁部は前記第一貯水タンク内に位置していることを特徴とする、請求項１または２に記載の排水装置。
【請求項４】
前記環状壁は円錐状であることを特徴とする、請求項１または２に記載の排水装置。
【請求項５】
前記第一水平面を通過する垂直線と前記越流穴を通過する中心線との間に形成されている夾角が鋭角であることを特徴とする、請求項１または２に記載の排水装置。
【請求項６】
支持リングをさらに備え、
前記支持リングは前記環状壁の前記環状外壁に結合されていることを特徴とする、請求項１または２に記載の排水装置。
【請求項７】
前記環状壁及び前記底板は一体に成形されていることを特徴とする、請求項１に記載の排水装置。
【請求項８】
前記環状壁及び前記外側環状壁は一体に成形されていることを特徴とする、請求項２に記載の排水装置。
【考案の詳細な説明】
【技術分野】
【０００１】
本考案は、昆虫或いは気体が室内に進入するのを防止する排水装置に関する。
【背景技術】
【０００２】
水管は液体の流れを導くために使用され、例えば、水管が浴室に設置される場合、浴室の液体が水管により室外（或いは汚水槽）に排出される。
【考案の概要】
【考案が解決しようとする課題】
【０００３】
しかしながら、前述した従来の技術では、水管により室外（或いは汚水槽）と浴室とが連通されているため、昆虫或いは気体が室外（或いは汚水槽）から水管を通して浴室（或いは室内）に進入する可能がある。このため、浴室（或いは室内）に防虫剤を噴霧して昆虫が浴室（或いは室内）進入するのを防止するか、もしくは栓をして管の口を塞ぐことができるが、使用が不便になる。
【０００４】
そこで、本考案者は上記の欠点が改善可能と考え、鋭意検討を重ねた結果、合理的設計で上記の課題を効果的に改善する本考案の提案に到った。
【０００５】
本考案は、以上の実情に鑑みなされたものであって、その目的は、水管に設置され、昆虫或いは気体が室外（或いは汚水槽）から前記水管を通して浴室（或いは室内）に進入するのを抑制する排水装置を提供することにある。
【課題を解決するための手段】
【０００６】
上述した課題を解決し、上記目的を達成するための本考案による排水装置は、環状壁と、底板と、キャビンとを備える。環状壁は、底板に結合されている。キャビンは、底板の上方に位置しており、環状壁により包囲されており、開口部を有し、開口部から流入する液体を収容可能である。環状壁は、環状内壁、環状外壁、および、環状内壁と環状外壁とを連通する少なくとも１つの越流穴を有する。開口部、キャビン及び越流穴は液体流路を構成する。越流穴は、第一開口部及び第二開口部を有し、第一開口部が環状内壁に位置しかつキャビンと連通し、第二開口部が環状外壁に位置し、第一開口部が上縁部を有し、第二開口部が底縁を有し、第一開口部の上縁部を通過する仮想平面を第一水平面と定義し、第二開口部の底縁を通過する仮想平面を第二水平面と定義し、第一水平面が第二水平面より高い位置に位置し、第二水平面と底板との間に第一貯水タンクが構成されている。
【０００７】
液体が第一貯水タンクに蓄積されるさいに、昆虫が室外（或いは汚水槽）から水管を通して室内に進入するのを防止し、気体が室外（或いは汚水槽）から水管を通して室内に進入するのを防止することができる。
【０００８】
本考案によれば、昆虫或いは気体が室外（或いは汚水槽）から水管を通して浴室（或いは室内）に進入するのを防止することができる。
【図面の簡単な説明】
【０００９】
【図１】本考案の第１実施形態に係る排水装置を示す斜視図である。
【図２】本考案の第１実施形態に係る排水装置を示す断面図である。
【図３】本考案の第１実施形態に係る排水装置を示す断面図である。
【図４】本考案の第１実施形態に係る排水装置の使用状態を示す模式図である。
【図５】本考案の第１実施形態に係る排水装置の使用状態を示す模式図である。
【図６】本考案の第１実施形態に係る排水装置の使用状態を示す模式図である。
【図７】本考案の第２実施形態に係る排水装置を示す斜視図である。
【図８】本考案の第２実施形態に係る排水装置を示す断面図である。
【考案を実施するための形態】
【００１０】
以下に図面を参照して、本考案を実施するための形態について、詳細に説明する。なお、本考案は、以下に説明する実施形態に限定されるものではない。
【００１１】
（第１実施形態）
まず、第１実施形態を図１〜３に基づいて説明する。本考案の排水装置１００は、環状壁１１０と、底板１２０と、キャビン１３０とを備える。環状壁１１０は底板１２０に結合され、キャビン１３０は底板１２０の上方に位置され、環状壁１１０によりキャビン１３０が包囲される。好ましくは、環状壁１１０及び底板１２０は一体成形され、本実施形態では、環状壁１１０は円錐状の環状壁である。
図１、図２及び図３を参照すると、排水装置１００の環状壁１１０は環状内壁１１１及び環状外壁１１２を有し、キャビン１３０は開口部１３１を有し、開口部１３１から液体がキャビン１３０に流入される。環状壁１１０には環状内壁１１１及び環状外壁１１２に連通される少なくとも１つの越流穴１１３が設けられ、開口部１３１、キャビン１３０及び越流穴１１３により液体流路Ａが構成される。越流穴１１３は第一開口部１１４及び第二開口部１１５を有し、第一開口部１１４は環状内壁１１１に位置される。また、第一開口部１１４はキャビン１３０に連通され、第二開口部１１５は環状外壁１１２に位置され、第一開口部１１４は上縁部１１４ａを有し、第二開口部１１５は底縁１１５ａを有する。
【００１２】
第一水平面Ｘ１は第一開口部１１４の上縁部１１４ａを通過し、第二水平面Ｘ２は第二開口部１１５の底縁１１５ａを通過し、且つ第一水平面Ｘ１は第二水平面Ｘ２より高くなく、第二水平面Ｘ２と底板１２０との間に第一貯水タンクＢが構成される。なお、本実施形態では、第一水平面Ｘ１は第二水平面Ｘ２より低く、第一開口部１１４の上縁部１１４ａは第一貯水タンクＢに位置される（図１及び図３参照）。
【００１３】
本実施形態では、図１乃至図３に示すように、越流穴１１３は非湾曲孔であり、越流穴１１３は実質上直線になる貫通孔であり、第一水平面Ｘ１を通過する垂直線Ｙと越流穴１１３を通過する中心線Ｚとの間には夾角Ｅを有し、夾角Ｅは鋭角である。
【００１４】
なお、好ましくは、排水装置１００は支持リング１５０をさらに備え、支持リング１５０は環状壁１１０の環状外壁１１２に結合される。本実施形態では、支持リング１５０及び環状壁１１０は一体成形される（図１乃至図３参照）。
【００１５】
水管２００は床３００に設置され、水管２００の一端は床（浴室或いはキッチン内の床等）に位置され、浴室を例にすると、通常は水管２００の一端に支持部材４００が設置され、蓋体５００により支持部材４００が蓋をされる。蓋体５００は複数の貫通孔５１０を有し、これら貫通孔５１０は水管２００に連通されて蓋体５００を開けるために用いられ、排水装置１００は支持部材４００に設置されると共に越流穴１１３により水管２００に連通される（図２及び図４参照）。
【００１６】
蓋体５００により蓋をされると、浴室中の液体はこれら貫通孔５１０を通してキャビン１３０に流動され、キャビン１３０及び越流穴１１３により液体流路Ａが構成される。これにより、液体は液体流路Ａを通して水管２００に流動される。或いは、他の状況では、水管２００の一端には支持部材４００及び蓋体５００が設置されず、排水装置１００が水管２００に直接に設置される（図２、図４及び図５参照）。
【００１７】
さらに、液体の流動が停止すると、液体が第二水平面Ｘ２と底板１２０との間の第一貯水タンクＢに蓄積される。本実施形態では、第一開口部１１４の上縁部１１４ａは第一貯水タンクＢに蓄積される液体に嵌入され、越流穴１１３  が第一貯水タンクＢの液体により密封される。これにより、室外（或いは汚水槽）から昆虫及び気体が水管２００を通して室内に進入するのを防止する（図３及び図５参照）。
【００１８】
排水装置１００は浴槽６００（或いは水槽）の排水孔６１０に設置され、排水孔６１０は水管７００に連通され、排水装置１００は排水孔６１０に設置され、浴槽６００（或いは水槽）に貯水されると、密封蓋８００によりキャビン１３０の開口部１３１が密封され、水が排水装置１００の液体流路Ａから流出するのを回避させる（図２及び図６参照）。
【００１９】
（第２実施形態）
本考案の第１実施形態の構成を図７及び図８に示す。第１実施形態との差異は、排水装置１００は外側環状壁１４０をさらに備え、外側環状壁１４０は環状壁１１０に結合され、外側環状壁１４０と環状壁１１０との間には第二貯水タンクＣを有し、外側環状壁１４０は露出端１４１を有し、露出端１４１と環状壁１１０との間には越流口Ｄを有し、本実施形態では、環状壁１１０及び外側環状壁１４０は一体成形される点である。
【００２０】
露出端１４１を通過する第三水平面Ｘ３は第二水平面Ｘ２より低くなく、本実施形態では、第二水平面Ｘ２は第三水平面Ｘ３より低い。液体の流動が停止すると、液体は第二水平面Ｘ２と底板１２０との間の第一貯水タンクＢ及び外側環状壁１４０と環状壁１１０との間の第二貯水タンクＣに蓄積され、  第三水平面Ｘ３は第二水平面Ｘ２より低くないため、越流穴１１３が第一貯水タンクＢの液体及び第二貯水タンクＣの液体により密封され、これにより、室外（或いは汚水槽）から昆虫及び気体が水管２００を通して室内に進入するのを防止する（図７及び図８参照）。
【００２１】
従って、本明細書に開示された実施形態は、本考案を限定するものではなく、説明するためのものであり、このような実施形態によって本考案の思想と範囲が限定されるものではない。本考案の範囲は実用新案登録請求の範囲により解釈すべきであり、それと同等の範囲内にある全ての技術は、本考案の権利範囲に含まれるものと解釈すべきである。
【符号の説明】
【００２２】
１００：排水装置、
１１０：環状壁、
１１１：環状内壁、
１１２：環状外壁
１１３：越流穴、
１１４：第一開口部、
１１４ａ：上縁部、
１１５：第二開口部、
１１５ａ：底縁、
１２０：底板、
１３０：キャビン、
１３１：開口部、
１４０：外側環状壁
１４１：露出端、
１５０：支持リング、
２００：水管、
３００：床、
４００：支持部材、
５００：蓋体、
５１０：貫通孔、
６００：浴槽、
６１０：排水孔、
７００：水管、
８００：密封蓋、
Ａ：液体流路、
Ｂ：第一貯水タンク、
Ｃ：第二貯水タンク、
Ｄ：越流口、
Ｅ：夾角、
Ｘ１：第一水平面、
Ｘ２：第二水平面、
Ｘ３：第三水平面。
【図１】
0003201438.tif 000003
【図２】
0003201438.tif 000004
【図３】
0003201438.tif 000005
【図４】
0003201438.tif 000006
【図５】
0003201438.tif 000007
【図６】
0003201438.tif 000008
【図７】
0003201438.tif 000009
【図８】
0003201438.tif 000010